Podtech/llm-jp-corpus-v4-ja_patent huggingface dataset:
(57)【要約】      （修正有）【課題】釣りが苦手な人でも疲れずに釣りができるルアーを提供する。【解決手段】ルアー１は、いくつかに分割され、その一つに、動力源２の電池とモーターを内臓したり、ゼンマイを取り付け、分割したルアー１を連結物３と接続物４で連結して、動力源２の動力を利用してルアー１全体を強制的に魚が泳ぐように左右に振り、また、エビが跳ねるように上下に跳ね、また虫が動くように、くねくねと、動かす。【選択図】図１
0003230112.tif 000002
【実用新案登録請求の範囲】
【請求項１】
ルアーは、いくつかに分割されていて、そのルアーに固定された連結物と自由自在      に動く接続物で連結されていて、分割されたルアーが滑らかに動く事を特徴とする      ルアー。
【請求項２】
請求項１のルアーにおいて、いくつかに分割したルアーの一つに動力源を内臓した      り、取り付けたりして、それらの動力を利用して強制的に動く装置を有する事を特      徴とするルアー。
【考案の詳細な説明】
【技術分野】
【０００１】
本考案は、ルアーフィッシングの、ルアー（疑似餌）に関するものである。
【背景技術】
【０００２】
従来の、ルアーは一体物で分割されていないので、それ自体は生餌が泳ぐように滑      らかに動かないので、たえず竿を上手に動かし、さも生餌が泳いでいるように魚に      見せかけて釣る方法である。これだと竿をたえず上手に振っていなければルアーは      、じっとしているので、あまり釣果が望めない。上手な人は、いかに生餌のような      動き方が出来るか、どのように竿を振ったら良いのかと色々探りながら竿をたえず      動かしている下手な人は、なおさら分からないまま竿を何回も何回も振るので疲れ      る。釣りのプロは生餌で釣りをする方が釣果が良いと言い、その為に生餌をその釣      り場で取ったり釣ったり、前もって釣具店などで用意したりするので手間と、時間      とお金と、生け簀が必要になる。
【考案の開示】
【考案が解決しようとする課題】
【０００３】
従来のルアーは、一体物なので生餌のように滑らかに動かないという課題があった      、また、そのルアー自体は竿を動かさないと、じっとしていて動かないという課題      があった、すなわち動かす為に竿を、たえず何回も何回も上手に動かさなければな      らないので体と手が疲れるという課題があった、そして前もって釣具店などで生餌      を用意するという手間と時間とお金と生け簀の確保の課題があった。
【課題を解決するための手段】
【０００４】
従来の一体物のルアーを、いくつかに分割にして、その一つに動力源となる電池と      モーターをルアーの中に内臓して、それらの動力を利用して分割したルアーに連結      物を固定して自由自在に動く接続物で連結をして強制的に、より滑らかにルアーを      動かす事により竿を何回も何回も動かさなければならない体と手の疲れや生餌を用      意しなければならない手間と時間とお金と生け簀の準備などの課題があったのを解      決する。すなわち電動ハブラシのような形で手で持つ所と半固定式に差し込む歯ブ      ラシの関係であり半固定式の所を自由自在に動く接続物で連結する手段である。電      池を動力源にした場合は電池でモーターを回し、そのモーターの回転部に固定され      た連結物と分割したルアーに固定された連結物を自由自在に動く接続物で連結をし      て分割したルアー全体を上下左右に動かす手段である。ゼンマイを動力源にしてル      アーを動かす場合は分割したルアーどうしをゼンマイの最初と最後を固定して、ゼ      ンマイを締めるように右回転と左回転に手でまわし、そのゼンマイの戻る力を利用      して分割したルアーを、くねくねと動かしたり、回転するように動かす手段である      、これらの手段を用いて分割したルアー全体を滑らかに動かし生餌を用意する事な      く竿をたえず動かす事なく、この課題を解決する事ができる。
【考案の効果】
【０００５】
釣りが、苦手でルアーの動かし方とか竿の振り方が下手な人でもルアー自体が強制      的に生餌のように滑らかに動くので、たえず竿を動かさなくてもいいので疲れない      し、そして生餌を用意したり、その場で釣らなくてもルアーだけで釣りが出来るの      で魚型のような形又は（イカなどの形・アジなどの形）とエビ型のような形又は（エビなどの形）と虫型のような形又は（石ゴカイなどの形）など、それぞれ大・中・小と三種類あると、どんな釣りにも対応出来るので釣果が期待でき生餌の生臭さが無く何時でも何処でも女性でも楽しく疲れなく臭くなく魚釣りが出来る効果があり釣果も期待できる。
【図面の簡単な説明】
【０００６】
【図１】本考案に係るルアーの魚型のような形の図面である。
【図２】本考案に係るルアーのエビ型のような形の図面である。
【図３】本考案に係るルアーの虫型のような形の図面である。
【考案を実施するための最良の形態】
【０００７】
本考案に係る、ルアー（図１〜図２）に示すように、いくつかに分割し、それらを      動力源２に固定した連結物３と、ルアーに固定した連結部３’を自由自在に動く接      続部４で連結する事により動力源２を利用して強制的に動かす事によりルアー（図      １〜図２）が竿を何回も何回も振ることなく生餌を用意しなくても釣りが出来る最      良の形態である。その形は魚型（図１）のような形と、エビ型（図２）のような形      が有り、これらのルアー（図１〜図２）は分割した一つのルアーの中に動力源２電池とモーター）を内臓して電池のスイッチ５を外部に付け動力源２のモーターを回しモーターに固定された連結部３を上下左右に振らし、その動きを分割したルアーに固定した連結部３’と自由自在に動く接続部４を通じて連動させ、ルアー魚型（図１）とエビ型（図２）が魚やエビが泳ぐように動かす形態である。虫型（図９）はゼンマイが動力源２’になり分割したルアー９どうしをゼンマイ２’の最初と最後をルアー虫型（図９）に固定された連結部３’を右回転と左回転にゼンマイ２’を締めるように巻きその戻る力を利用してルアー虫型（図９）を石ゴカイなどの形がくねくねと動かす形態である。
【符号の説明】
【０００８】
１    分割した魚型のような形のルアー（イカなどの形又はアジなどの形）
２    動力源（電池とモーター）
２’  動力源（ゼンマイ）
３    連結物（動力源に固定されている）
３’  連結物（ルアーに固定されている）
４    自由自在に動く接続物
５    スイッチ（モーターの始動と停止をする時）
６    釣り糸
７    釣り針
８    分割したエビ型のような形のルアー（エビなどの形）
９    分割した虫型のような形のルアー（石ゴカイなどの形）
【図１】
0003230112.tif 000003
【図２】
0003230112.tif 000004
【図３】
0003230112.tif 000005
(57)【要約】      （修正有）【課題】身近に持ち歩いて和暦と西暦の変換が確実に身に付くカード状の印刷物を提供する。【解決手段】カード状印刷物の表面１に、和暦と西暦の覚え方を記載した覚え方欄１０と、カード状印刷物の裏面に、覚え方欄の次に和暦と西暦の計算方法を記載した計算方法欄及び計算方法欄の次に和暦と西暦の計算例題を記載した例題欄とを、備える。【選択図】図１
0003230115.tif 000002
【実用新案登録請求の範囲】
【請求項１】
カード状の紙面に、和暦と西暦の覚え方を記載した覚え方欄と、覚え方欄の次に和暦と西暦の計算方法を記載した計算方法欄と、計算方法欄の次に和暦と西暦の計算例題を記載した例題欄とを、備えるように印刷されたことを特徴とするカード状印刷物。
【請求項２】
覚え方欄は、カード状の紙面の表面に、計算方法欄及び例題欄は、カード状の紙面の裏面に備えるように印刷されたことを特徴とする請求項１記載のカード状印刷物。
【請求項３】
覚え方欄には、５元号から西暦を算出するための計算式が表示されたことを特徴とする請求項１又は２記載のカード状印刷物。
【考案の詳細な説明】
【技術分野】
【０００１】
本願考案は、和暦と西暦の覚え方・計算方法及び例題を記載したカード状の印刷物に関するものである。
【背景技術】
【０００２】
日本では和暦と西暦がともに使用されている。今日でもよく使用される和暦といえば、明治・大正・昭和・平成・令和の５元号であるが、これだけ元号があると和暦に対応する西暦、或いは西暦に対応する和暦がすぐに出てこないことが多い。
【０００３】
このような和暦と西暦の変換技術として、特許文献１に「和暦・西暦変換方式」が開発されている。
【先行技術文献】
【特許文献】
【０００４】
【特許文献１】特開昭５８−１２２９号公報
【考案の概要】
【考案が解決しようとする課題】
【０００５】
しかし、特許文献１の「和暦・西暦変換方式」はあくまでもコンピュータで処理されるものであり、人が簡単に和暦と西暦を変換できるものではない。
そこで、本願考案者は、身近に持ち歩いて和暦と西暦の変換が身に付くカード状の印刷物を思いつき、本願考案を完成するに至った。
【課題を解決するための手段】
【０００６】
本願考案の第１の考案は、カード状の紙面に、和暦と西暦の覚え方を記載した覚え方欄と、覚え方欄の次に和暦と西暦の計算方法を記載した計算方法欄と、計算方法欄の次に和暦と西暦の計算例題を記載した例題欄とを、備えるように印刷されたことを特徴とするカード状印刷物である。
第２の考案は、覚え方欄が、カード状の紙面の表面に、計算方法欄及び例題欄が、カード状の紙面の裏面に備えるように印刷されたことを特徴とする同カード状印刷物である。
第３の考案は、覚え方欄に、５元号から西暦を算出するための計算式が表示されたことを特徴とする同カード状印刷物である。
【考案の効果】
【０００７】
本願考案に係る「カード状印刷物」によれば、和暦と西暦の覚え方を記載した覚え方欄と、覚え方欄の次に和暦と西暦の計算方法を記載した計算方法欄と、計算方法欄の次に和暦と西暦の計算例題を記載した例題欄とを、備えるように印刷されたカード状印刷物であるので、誰でも簡単に所持し、持ち歩くことができるので、和暦と西暦の変換が身に付きやすく、和暦と西暦の変換に困らない。
【図面の簡単な説明】
【０００８】
【図１】本願考案に係る「カード状印刷物」の表面を説明する説明図。
【図２】本願考案に係る「カード状印刷物」の裏面を説明する説明図。
【考案を実施するための形態】
【０００９】
本願考案に係る「カード状印刷物」を図面に基づいて説明する。
まず、図１でカード状印刷物の表面を説明する。
カード状印刷物の表面１には、和暦と西暦の覚え方を記載した覚え方欄１０を備える。まず、覚え方を暗記することで、和暦と西暦の変換をスムーズに行えるようになる。和暦として５元号を挙げて、元号ごとに西暦へ変換するために必要な計算式（数値）を記載している。
【００１０】
次に、図２でカード状印刷物の裏面を説明する。
カード状印刷物の裏面２には、計算方法欄２０と例題欄３０とを備える。
計算方法欄２０には、覚え方欄１０で記載された計算式を使用して、和暦（元号元年）を西暦へ変換する計算方法を記載している。ここで、表面１の覚え方欄で覚えた計算式が実際にどのように使用して和暦と西暦を変換するのか理解できるようになる。
そして、次の例題欄３０で、具体的な事例を用いて（図２では、西暦２０２０年に開催予定であった東京オリンピックを例に挙げている）、西暦から和暦へ並びに和暦から西暦への変換を計算している。
【産業上の利用可能性】
【００１１】
本願考案に係る「カード状印刷物」は、コンピュータのようなデジタル機器等を用いることなく、カード状の印刷物で簡単に和暦と西暦の変換を覚えることができるので、子供から年配者まで幅広く利用されるものである。
【符号の説明】
【００１２】
１  カード状印刷物の表面
２  カード状印刷物の裏面
１０  覚え方欄
２０  計算方法欄
３０  例題欄
【図１】
0003230115.tif 000003
【図２】
0003230115.tif 000004
(57)【要約】      （修正有）【課題】溜池から貯水槽へ散水用水を効率よく揚水する散水用送水設備を提供する。【解決手段】溜池１内に設置した水中ポンプ２と貯水槽４側に設置した揚水ポンプ３ａの能力を同調させ、水中ポンプの送水管と揚水ポンプの吸引管を直列に結合させたことを特徴とする散水用送水設備である。【選択図】図１
0003230136.tif 000002
【実用新案登録請求の範囲】
【請求項１】
ゴルフ場の散水用取水源の溜池から貯水槽及び／又は陸上ポンプへの散水用送水設備であって、溜池内に設置した水中ポンプと貯水槽及び／又は陸上ポンプの能力を同調させ、水中ポンプの送水管と揚水及び／又は加圧用の陸上ポンプの吸引管を直列に結合させたことを特徴とする散水用送水設備。
【考案の詳細な説明】
【技術分野】
【０００１】    ゴルフ場の芝生を維持するために、散水は必須である。本考案はそのゴルフ場の散水用の水を取水源である溜池から貯水槽及び／又は散水本管へ送水する設備に関するものである。
【背景技術】
【０００２】    ゴルフ場の芝生への散水システムについては、特許文献１に開示されているように、種々のシステムが公知である。これらのものは、散水する水の
貯水槽及び／又は溜池からゴルフコース上への送水に関するものである。
一方、貯水槽へ水を貯水するには、溜池から揚水ポンプで汲み上げているのが一般的である。
【先行技術文献】
【特許文献】
【０００３】
【特許文献１】特開２００５−０２７５０７
【考案の概要】
【考案が解決しようとする課題】
【０００４】    ゴルフ場の散水用の水源は、溜池を活用していることが多くあり、溜池はコース外の標高の低い場所に存在していることが多く、その溜池から揚水ポンプで貯水槽へ汲み上げたり、直接コースに給水されている。この場合、揚水ポンプの吸引側の負荷が大きく、揚程が長くなり、揚水効率が悪いといった課題があった。
【課題を解決するための手段】
【０００５】    本考案は、上記課題を解決するために、ゴルフ場の散水用取水源の溜池から貯水槽及び／又はコースへの散水用送水設備であって、溜池内に設置した水中ポンプと貯水槽側に設置した揚水ポンプの能力を同調させ、水中ポンプの送水管と揚水ポンプの吸引管を直列に結合させたことを特徴とする散水用送水設備を提供することである。
【考案の効果】
【０００６】    本考案により、揚水及び送水効率が向上し空運転の防止とポンプ寿命の延長が図られるという顕著な効果がある。
【図面の簡単な説明】
【０００７】
【図１】  本考案の散水用送水設備の概念図である。
【図２】  本考案の散水用送水設備の異なる態様図である。
【考案を実施するための形態】
【０００８】    水中ポンプを溜池内に設置し、その送水管と貯水槽側に設置する陸上ポンプの給水管を結合させる。これにより、揚水ポンプの吸引力を補助できることによる、空運転防止や陸上ポンプの寿命の顕著な改善が可能になる。
【産業上の利用可能性】
【０００９】    ゴルフ場の散水装置として利用できる。
【符号の説明】
【００１０】１    溜池
２    水中ポンプ
３ａ  陸上ポンプ
３ｂ  加圧機能付き陸上ポンプ
４    貯水槽
５    散水用送水管
【図１】
0003230136.tif 000003
【図２】
0003230136.tif 000004
(57)【要約】      （修正有）【課題】対人関係においてコミュニケーション不足によるミスを無くし、場合によっては重大な事故も未然に防ぐことが可能となるマスク用小型拡声器を提供する。【解決手段】マスク用小型拡声器は、小型スピーカーユニット１と小型マイクユニット２と接続部材３を備え、既存のマスクを表と裏から容易に挟み込み、表側に小型スピーカーユニット１、裏側に小型マイクユニット２を取り付ける。【選択図】図１
0003230110.tif 000002
【実用新案登録請求の範囲】
【請求項１】
マスクを表と裏から容易に挟み込み、表側に小型スピーカー、裏側に小型マイクを取り付けるマスク用小型拡声器（抗菌素材使用）。
【考案の詳細な説明】
【技術分野】
【０００１】      本考案は、既存のマスクに取り付ける小型拡声器に関するものである。
【背景技術】
【０００２】      マスク装着により、声が聞こえづらく、サービス提供者が何を言っているか分かりづらい、という声が頻繁に聞かれる。
【考案の概要】
【考案が解決しようとする課題】
【０００３】      新型コロナウイルスの蔓延により、マスクの使用はこれからの時代、必須となることが予想される。ある程度コロナが収束し、たとえ一般の方々は使用しなくなったとしても、医療従事者、介護者、保育士、店員などサービス提供者は社会通念上、使用せざるを得なくなる状況だと言える。今現在でもマスク装着により、声が聞こえづらく、店員が何を言っているか分かりづらい、という声が頻繁に聞かれる。
【課題を解決するための手段】
【０００４】      既存のマスクを表と裏から挟み込み、表側に小型スピーカー、裏側に小型マイクを取り付けるマスク用小型拡声器（抗菌素材使用）を使用し、簡単にマスクに装着でき、しっかりと声をお客様に届けるような小型の拡声器があれば非常に便利になり、コミュニケーション不足によるミスを無くし、場合によっては重大な事故も未然に防ぐことが可能となる。
【考案の効果】
【０００５】        保育士などの声が聞こえづらいという問題により、幼児の発達やコミュニケーション能力に影響する可能性も考えられる。また、必要以上に大きな声でお客様や患者に話しかけなければならない状況は、サービス提供者や、介護者、医療従事者のストレスにもなり、じわじわと人々の社会生活をむしばんでいく可能性も考えられる。本考案により、少しでも多くの人のストレスを無くし、コミュニケーション不足による事故を極力減少させ、健全な社会生活を実現できる可能性が広がる。
【図面の簡単な説明】
【０００６】
【図１】本考案の意匠図例である。図１は一例であり形状はこの限りではない。
【図２】本考案の装着例である。
【考案を実施するための形態】
【０００７】    クリップやマグネットを使用し、既存マスクをスピーカーユニットとマイクユニットで挟みこむ。本体には電源のオン・オフスイッチ、音量スイッチ、バッテリー、バッテリー充電ユニットが付属する。
【符号の説明】
【０００８】    １  小型スピーカーユニット
２  小型マイクユニット
３  接続部（クリップ式、又はマグネット式等にしマスクを挟み込む）
４  電源オン・オフスイッチ
５  音量スイッチ
【図１】
0003230110.tif 000003
【図２】
0003230110.tif 000004
【手続補正書】
【提出日】令和2年8月31日(2020.8.31)
【手続補正１】
【補正対象書類名】実用新案登録請求の範囲
【補正対象項目名】全文
【補正方法】変更
【補正の内容】
【実用新案登録請求の範囲】
【請求項１】
小型スピーカーユニットと小型マイクユニットと接続部材を備え、マスクの１の周縁から接続部材を介して表面と裏面を挟み込んで取り付けられ、表面側に小型スピーカーユニットを配設し、裏面側に小型マイクユニットを配設するようにしたことを特徴とするマスク用小型拡声器。
【請求項２】
小型スピーカーユニットは小型スピーカー、アンプ、バッテリー、電源回路、電源スイッチ、ボリュームスイッチを有し、小型マイクユニットは小型マイク、マイクアンプを有する請求項１記載のマスク用小型拡声器。
【手続補正２】
【補正対象書類名】明細書
【補正対象項目名】全文
【補正方法】変更
【補正の内容】
【考案の詳細な説明】
【技術分野】
【０００１】      本考案は、既存のマスクに取り付ける小型拡声器に関するものである。
【背景技術】
【０００２】      マスク装着により、声が聞こえづらく、サービス提供者が何を言っているか分かりづらい、という声が頻繁に聞かれる。
【考案の概要】
【考案が解決しようとする課題】
【０００３】      新型コロナウイルスの蔓延により、マスクの使用はこれからの時代、必須となることが予想される。ある程度コロナが収束し、たとえ一般の方々は使用しなくなったとしても、医療従事者、介護者、保育士、店員などサービス提供者は社会通念上、使用せざるを得なくなる状況だと言える。今現在でもマスク装着により、声が聞こえづらく、店員が何を言っているか分かりづらい、という声が頻繁に聞かれる。
【課題を解決するための手段】
【０００４】      既存のマスクを表と裏から挟み込み、表側に小型スピーカー、裏側に小型マイクを取り付けるマスク用小型拡声器（抗菌素材使用）を使用し、簡単にマスクに装着でき、しっかりと声をお客様に届けるような小型の拡声器があれば非常に便利になり、コミュニケーション不足によるミスを無くし、場合によっては重大な事故も未然に防ぐことが可能となる。
【考案の効果】
【０００５】        保育士などの声が聞こえづらいという問題により、幼児の発達やコミュニケーション能力に影響する可能性も考えられる。また、必要以上に大きな声でお客様や患者に話しかけなければならない状況は、サービス提供者や、介護者、医療従事者のストレスにもなり、じわじわと人々の社会生活をむしばんでいく可能性も考えられる。本考案により、少しでも多くの人のストレスを無くし、コミュニケーション不足による事故を極力減少させ、健全な社会生活を実現できる可能性が広がる。
【図面の簡単な説明】
【０００６】
【図１】本考案の意匠図例である。図１は一例であり形状はこの限りではない。
【図２】本考案の装着例である。
【考案を実施するための形態】
【０００７】    クリップやマグネットを使用し、既存の衛生マスクをスピーカーユニットとマイクユニットで挟みこむ。本体には電源のオン・オフスイッチ、音量スイッチ、バッテリー、バッテリー充電ユニットが付属する。
【実施例】
【０００８】以下、添付図面に従って一実施例を説明する。１はカバーが耐久性のプラスチックス等適宜素材にて形成された小型スピーカーユニットであり、内部には小型スピーカー、アンプ、バッテリー、電源回路等を有する。２はカバーが耐久性のプラスチックス等適宜素材にて形成された小型マイクユニットであり、内部には小型マイク、マイクアンプを有する。３は小型スピーカーユニットと小型マイクユニットの接続部材であり、マスクを挟み込む機能を有する。４は電源オン・オフスイッチである。５は音量スイッチである。
【符号の説明】
【０００９】１  小型スピーカーユニット
２  小型マイクユニット
３  接続部材（クリップ式、又はマグネット式等にしマスクを挟み込む）
４  電源オン・オフスイッチ
５  音量スイッチ
(57)【要約】      （修正有）【課題】暑い中マスクやフェイスシートを不要とする傘を提供する。【解決手段】ドーム構造の傘を内部からは見えるが、外部からは見えない遮光かつ抗菌素材で構成する。【選択図】図１
0003230170.tif 000002
【実用新案登録請求の範囲】
【請求項１】
顔が十分保護されるドーム構造であり、相手から見えない遮光且つ抗菌素材で構成されている傘。
【考案の詳細な説明】
【技術分野】
【０００１】  コロナ対策を目的とした傘に関する。
【背景技術】
【０００２】  コロナ対策を目的としてマスクやフェイスシールドを装着している。
【考案の概要】
【考案が解決しようとする課題】
【０００３】  暑い中マスクマスクやフェイスシールドは不快である。
【課題を解決するための手段】
【０００４】  ドーム構造の傘に相手から見えない遮光且つ抗菌素材で構成されていることを特徴とする。
【考案の効果】
【０００５】  暑い中マスクを着用する必要がなく日差しを遮れ、抗菌素材であり、プライバシーが保護できる。
【図面の簡単な説明】
【０００６】
【図１】図１は構成図
【考案を実施するための形態】
【実施例１】
【０００７】  図１に示すように、ドーム構造の傘に傘内部から外は見えるが、外の相手から傘内部が見えない素材で構成され、更に遮光且つ抗菌素材で構成されている。抗菌に関しては、目隠し効果のある遮光素材に抗菌コーティングにより実現する。
【産業上の利用可能性】
【０００８】  非特許文献や外国特許文献にも適用が可能。
【符号の説明】
【０００９】１．ドーム構造の傘
２．目隠し素材で遮光且つ抗菌素材
【図１】
0003230170.tif 000003
(57)【要約】      （修正有）【課題】一人でブレーキランプの点検が出来また用具を必要としないで点検時のみ点灯し車両走行に支障をきたさないブレーキランプ点検装置を提供する。【解決手段】エンジンキースイッチ２とサイドブレーキスイッチ３とブレーキランプ４を電気的直列に接続する。【選択図】図１
0003230125.tif 000002
【実用新案登録請求の範囲】
【請求項１】
キースイッチとサイドブレーキスイッチとブレーキランプを直列接続したブレーキランプ点灯点検用装置
【考案の詳細な説明】
【０００１】単独作業員用ブレーキランプ点灯点検装置
【技術分野】
【０００２】自動車灯火類に於いて他の灯火と異なりブレーキランプはブレーキペタルスイッチが作動した時のみ点灯するので点灯点検には作業員は２人を要し点検作業は一人では出来ず色々な対策がなされてきた
【背景技術】
【０００３】ブレーランプ点検を一人で行うための治具が特願平１１−９９８１１で考案されているが実用として種々の負担が必要となる。
【考案の概要】
【考案が解決しようとする課題】
【０００４】一人でブレーキランプの点検が出来また用具を必要としないで点検時のみ点灯し車両走行に支障をきたさない実用的な点検装置
【課題を解決しょうとする手段】
【０００５】特願平１１−９９８１１の点検用治具に代わるものとして動作保持と走行時機能解除されるという特徴を有するサイドブレーキを採用し駐車時には使用しないエンジンキースイッチを組み合わせる事により実用的なブレーキランプ点検装置が得られる
【考案の効果】
【０００６】点検作業が一人でできランプの消し忘れも生じず保安灯としてのブレーキランプの完全な点検が期待できる
【図面の簡単な説明】
【０００７】
【図１】は本実用新案の構成を表わす図である
【符号の説明】
【０００８】  （１）ブレーキランプ点灯点検装置
（２）エンジンキースイッチ
（３）サイドブレーキスイッチ
（４）ブレーキランプ
（５）ブレーキペタルスイッチ
（６）電池
【図１】
0003230125.tif 000003
【手続補正書】
【提出日】令和2年9月16日(2020.9.16)
【手続補正１】
【補正対象書類名】明細書
【補正対象項目名】全文
【補正方法】変更
【補正の内容】
【考案の詳細な説明】
【技術分野】
【０００１】自動車灯火類に於いて他の灯火と異なりブレーキランプはブレーキペタルスイッチが作動した時のみ点灯するので点灯点検には作業員は２人を要し点検作業は一人では出来ず色々な対策がなされてきた
【背景技術】
【０００２】ブレーキランプ点検を一人で行うための治具が特願平１１−９９８１１で考案されているが実用として種々の負担が必要となる。
【考案の概要】
【考案が解決しようとする課題】
【０００３】一人でブレーキランプの点検が出来また用具を必要としないで点検時のみ点灯し車両走行に支障をきたさない実用的な点検装置
【課題を解決しょうとする手段】
【０００４】特願平１１−９９８１１の点検用治具に代わるものとして動作保持と走行時機能解除されるという特徴を有するサイドブレーキを採用し駐車時には使用しないエンジンキースイッチを組み合わせる事により実用的なブレーキランプ点検装置が得られる
【考案の効果】
【０００５】点検作業が一人でできランプの消し忘れも生じず保安灯としてのブレーキランプの完全な点検が期待できる
【図面の簡単な説明】
【０００６】
【図１】は本実用新案の構成を表わす図である
【符号の説明】
【０００７】（１）ブレーキランプ点灯点検装置
（２）エンジンキースイッチ
（３）サイドブレーキスイッチ
（４）ブレーキランプ
（５）ブレーキペタルスイッチ
（６）電池
(57)【要約】      （修正有）【課題】簡単な改良によってトドやアザラシ等の海獣類の入網を排除し、魚を有効に捕獲すると共に海獣類による定置網破損を回避する有効な定置網用仕切網を提供する。【解決手段】定置網用仕切網は、垣網で誘導された漁獲対象魚や海獣類のうち漁獲対象魚のみが溜まり網に入網できるよう海獣類が通過できない大きさの網目及びファスナーないしメガネ網を有する。定置網用仕切網を溜まり網内部に取りつける。【選択図】図５
0003230276.tif 000002
【実用新案登録請求の範囲】
【請求項１】
海獣類が通過できない一方で魚は通過することができる目合い（網目）の仕切網を定置網内に備えることを特徴とする定置網用仕切網。
【請求項２】
請求項１記載の定置網用仕切網を通過できない大型魚も溜まり網で捕獲できるよう定置網用仕切網中央部にファスナーを備えることを特徴とする定置網用仕切網。
【請求項３】
請求項１記載の定置網用仕切網を通過できない大型魚も溜まり網で捕獲できるよう定置網用仕切網中央部にメガネ網を備えることを特徴とする定置網用仕切網。
【請求項４】
請求項１乃至３記載の定置網用仕切網は海獣類が溜まり網に侵入することを防ぎつつ魚は通過できる程度の大きい網目の仕切網やファスナーないしメガネ網を備えることを特徴とする定置網。
【考案の詳細な説明】
【技術分野】
【０００１】  本考案は、定置網内に大きい網目のファスナー付き仕切網ないしメガネ網を設けた定置網に関するものである。
【背景技術】
【０００２】  定置網漁は、漁場に定置網を敷設し、回遊してきて網に進入した魚を漁獲する方法であり、日本における漁獲技術の１つとして現代においても採用され続けている漁獲方法である。
【考案の概要】
【考案が解決しようとする課題】
【０００３】  近年、魚の他に海獣（トドやアザラシ等）が魚を追い、溜り網まで侵入して、漁獲対象魚を食い荒らす直接的被害だけでなく、定置網内における海獣類の挙動による漁具漁網の破損等の間接的被害等といった多大な被害が発生しており、漁業従事者にとって死活問題となっている。
【課題を解決するための手段】
【０００４】  本考案は、溜り網を改良し、海獣類による漁業被害を回避する方法である。溜り網の中程に目合い（網目）の大きい網目の仕切網を取り付け、溜り網内部を前部と後部に分けることで、溜り網内への海獣類の侵入を防ぎ、かつ、仕切網にファスナーやメガネ網を取り付け仕切網の網目を通過できない大型魚も漁獲することにより問題点を解決している。
【考案の効果】
【０００５】  仕切網の効果は、漁獲対象魚は仕切網をくぐり抜けて通過できるため、溜り網後部に移動した漁獲対象魚を漁獲することができる一方、漁獲対象魚を追いかけて溜り網内に侵入した海獣類は、仕切り網をくぐり抜けることができず、漁獲対象魚が存在する溜り網後部に移動できない点にある。その結果、漁獲対象魚と海獣類は完全に分離され、海獣類による漁獲対象魚や漁具漁網への被害は最小限にとどまり、多大な効果があった。
【図面の簡単な説明】
【０００６】
【図１】一般的な定置網の構造図
【図２】溜り網内部の仕切網の側面図
【図３】メガネ網の拡大図
【図４】改良溜り網の全体図
【図５】本実用新案のイメージ図
【考案を実施するための形態】
【０００７】  溜り網の中程に網目３００ｍｍ〜４００ｍｍの大きい網目の仕切網を取り付け、溜り網内部を前部と後部に分けている。なお、仕切り網をくぐり抜けることができない大型魚については、仕切り網中央に大型魚が通過できる程度に開いたファスナーないしメガネ網を取り付けることにより、海獣類の侵入を防ぎつつ溜り網後部へ大型魚が進入できる構造となっている。
【実施例】
【０００８】  以下添付図面に従って一実施例を説明する。図１に示した垣網１は漁獲対象魚を溜り網内へ誘導する網であり、図１に示した溜り網２は漁獲対象魚を捕獲するための網である。漁獲対象魚は垣網１を沿って移動し、溜り網２へ進入するが、この際、海獣類は、漁獲対象魚を追い垣網１に沿って移動し、溜り網２へ進入してしまう。【０００９】  図２に示した網目３は海獣類の侵入を防ぎつつ漁獲対象魚を溜り網へ送る程度の大きさの網目である。海獣類はこの網目３を通過できないため、溜り網２へと進入することはできない。【００１０】  図２に示したファスナー４は大型魚を溜り網内へ送るファスナーである。網目３を通過できない大型魚を溜り網へ進入できるようファスナー４の開閉具合を調整し、網目３を通過できない大型魚も漁獲対象魚として溜り網２へと進入させることができる。【００１１】  なお、ファスナー４を仕切網に用いない場合はファスナー４の代わりに図３におけるメガネ網５へ変更することも可能である。この場合、図３における開閉糸６を弛緩や緊張させることでメガネ網５の開閉具合を調節する。【００１２】  図４は仕切網を設けた改良溜り網の全体図であり、図５で示したイメージ図のように海獣類と漁獲対象魚を区別することができる。
【符号の説明】１  垣網
２  溜り網
３  網目
４  ファスナー
５  メガネ網
６  開閉糸
【図１】
0003230276.tif 000003
【図２】
0003230276.tif 000004
【図３】
0003230276.tif 000005
【図４】
0003230276.tif 000006
【図５】
0003230276.tif 000007
(57)【要約】      （修正有）【課題】周辺部のライター等の有炎火が着火しやすく燃焼が拡大することを防止するビニールシートを提供する。【解決手段】ビニールシート１の周辺部にアルミニウム箔２を折り畳んだものを被せて、ホッチキスやステープルを使用し、芯３でビニールシートとアルミニウム箔を固定することにより、ビニールシートの周辺部にライター等の有炎火が着火し、燃焼が拡大しないよう火災予防対策をする。【選択図】図１
0003230275.tif 000002
【実用新案登録請求の範囲】
【請求項１】
ビニールシートの火災予防対策として、ビニールシートの周辺部にアルミニウム箔を折り畳んだものを被せて、ホッチキスやステープルの芯でビニールシートとアルミニウム箔を固定し、ビニールシートの周辺部にライター等の有炎火が着火し、燃焼が拡大しないよう火災予防対策すること。
【考案の詳細な説明】
【技術分野】
【０００１】  本考案は、ビニールシートの火災予防対策をすることです。
【背景技術】
【０００２】  令和２年１月以降、国内でウイルスの飛沫感染防止対策等の目的で、物品販売店舗、飲食店、官公庁等の人と会話する場所でビニールシートが吊り下げられている。石油製品のビニールシートは、防炎品の製品もあるが、防炎品以外の製品と比べて価格が割高であるため普及の妨げになっている。防炎品以外のビニールシートは、周辺部にライター等の有炎火が着火しやすく燃焼が拡大するものがあるため、全国の消防本部の中には、火災予防の啓発を実施している。
令和２年４月には、大阪府内の物品販売店舗でビニールシートが吊り下げられた場所で客がライターに点火した時、ビニールシートに着火し、燃焼する火災が発生しました。
【考案の概要】
【考案が解決しようとする課題】
【０００３】  課題は、石油製品のビニールシートは、周辺部にライター等の有炎火が着火しやすく燃焼が拡大することがある。
【課題を解決するための手段】
【０００４】  ビニールシートの周辺部にアルミニウム箔、幅２５センチメートル、厚さ１１マイクロメートルの製品を１回から４回折り畳んだものを被せて、ホッチキスやステープルの芯で固定することです。
【考案の効果】
【０００５】  ライターの火をビニールシートの周辺部に固定したアルミニウム箔に接炎して１分間熱してもビニールシートは着火しなかった。また、燃焼現象は認めなかった。ただし、ビニールシートの一部分は溶融することが認められた。
防炎防火対象物以外の消防法施行令別表１に掲げる防火対象物や一般住宅、田畑のビーニールハウスで使用されているビニールシートは、防炎規制対象外であるため、防炎品を使用することやビニールシートの周辺部にアルミニウム箔を被せた製品が普及することが望ましい。
また、ビニールシートを動物等の形状に切り取って、デザインを引き立てる効果も期待できる。
【図面の簡単な説明】
【０００６】
【図１】本考案のビニールシートの実施例を示す正面図である。
【考案を実施するための形態】
【０００７】  ビニールシート、厚さ０．１８ミリメートルから０．２５ミリメートルまでの製品にアルミニウム箔、幅２５センチメートル、厚さ１１マイクロメートルの製品を４回折り畳んで幅１．５センチメートルに加工したものをビニールシートの周辺部に被せてホッチキスまたはステープルの芯で固定する。
【実施例】
【０００８】  ビニールシート、厚さ０．１８ミリメートルから０．２５ミリメートルまで製品の周辺部にアルミニウム箔、幅２５センチメートル、厚さ１１マイクロメートルの製品を４回折り畳んで幅約１．５センチメートルに加工したものを被せてライターの火をアルミニウム箔に接炎し、１分間熱したが、ビニールシートは着火しなかった。また、燃焼現象は認めなかった。ただし、ビニールシートの一部分は溶融することが認められた。
【符号の説明】
【０００９】  １  ビニールシート
２  アルミニウム箔
３  ホッチキスやステープルの芯
【図１】
0003230275.tif 000003
【手続補正書】
【提出日】令和2年10月12日(2020.10.12)
【手続補正１】
【補正対象書類名】実用新案登録請求の範囲
【補正対象項目名】全文
【補正方法】変更
【補正の内容】
【実用新案登録請求の範囲】
【請求項１】
ビニールシートの火災予防対策として、ビニールシートの周辺部にアルミニウム箔を折り畳んだものを被せて、ホッチキスやステープルを使用し、芯でビニールシートとアルミニウム箔を固定することにより、ビニールシートの周辺部にライター等の有炎火が着火し、燃焼が拡大しないよう火災予防対策をすることを特徴とするビニールシート。
(57)【要約】      （修正有）【課題】自然乾燥させた檜材による細菌の増殖防止作用を利用した防菌室を提供する。【解決手段】建屋Ｂとして、床１、天井壁２、側壁３からなる防菌室Ａを形成し、窓４、入り口５を設ける。そして自然乾燥させた檜片Ｈを床１、天井壁２、側壁３に張る。更に、防菌室Ａ内に同様に自然乾燥させた檜片Ｈを堆積、吊り下げ、立て掛けなど適宜配設する。【選択図】図１
0003230272.tif 000002
【実用新案登録請求の範囲】
【請求項１】
床、天井壁、側壁からなる建屋に、窓、入り口を設け、自然乾燥させた檜片を前記床、天井壁、側壁に張ったことを特徴とする防菌室。
【請求項２】
防菌室内に自然乾燥させた檜片を配設した請求項１記載の防菌室。
【考案の詳細な説明】
【技術分野】
【０００１】      この考案は、自然乾燥させた檜材による防菌室に関するものである。
【背景技術】
【０００２】    本件考案者は、建材として卓越する檜材において、後述する自然乾燥させた檜材片を用いて黴の増殖を防ぐことに着目した。それは自然乾燥させた檜材片を、瓶の中に入れて、パン一片とともに密封する。一カ月後もパンに黴は生えない。一方、建材として鉄板、合板、集成材、パーティクルボードなどを同様に瓶内で実験した結果は、一カ月経過するとパンは黴だらけとなる。また檜材を人工乾燥させた材料は、三十日後にはパンに黴が発生した。檜の葉、檜の精油についても同様の実験の結果、パンに黴が発生する。ここで前記した自然乾燥させた檜材片を用いた実験を詳述すると、各辺が１糎の角材（＝１立方糎・センチ）の自然乾燥させた檜材片を採取し、１，０００立方糎の瓶の中に入れて、通常、市販の食パン（厚さ２糎、縦６糎、横６糎）一片とともに密封したところ、一カ月後もパンに黴は生えない。これは檜材に含まれる黴の発生を抑える有効成分が、あたかも呼吸するように、檜材の中の空気と瓶の中の空気とが行き来して黴の発生を抑える作用をなし、それによって黴が生えないことを示している。
【考案の概要】
【考案が解決しようとする課題】
【０００３】    この考案は、自然乾燥させた檜科材による細菌の増殖防止作用を利用した防菌室（防菌空間）を得ることを目的とするものである。
【課題を解決するための手段】
【０００４】    建屋Ｂとして、床１、天井壁２、側壁３からなる防菌室Ａを形成し、窓４、入り口５を設ける。そして自然乾燥させた檜材片Ｈを床１、天井壁２、側壁３に張る。この防菌室Ａ内には自然乾燥させた檜材片を適宜配設してもよい。
【考案の効果】
【０００５】    前記のように自然乾燥させた檜材片Ｈを用いて黴の増殖を防ぐ。すなわち１ｃｍ角の檜材片を１，０００立方糎の瓶の中に入れて通常市販の食パン（厚さ２糎、縦６糎、横６糎）一片とともに密封する。一カ月後もパンに黴は生えない。この事実に着目して自然乾燥させた檜材片Ｈを床１、天井壁２、側壁３に張る。防菌室Ａ内に自然乾燥させた檜材片Ｈを適宜配設してもよい。これらの構成によって自然乾燥させた檜材による防菌室を得ることができる。
【図面の簡単な説明】
【０００６】
【図１】  この考案の防菌室を示す図である。
【考案を実施するための形態】
【０００７】
【実施例】
【０００８】    図１は、この考案の防菌室Ａの全体であって、Ｂは建屋、１は床、２は天井壁、３は側壁である。そして開閉戸の窓４、扉入り口５を設ける。自然乾燥［使用材を伐栽後、二三ケ月ほど、光、湿度を避けた陰干し状態で保存］させた檜材片Ｈを用いて黴の増殖を防ぐ実験によれば、各辺が１糎の角材の檜材片を１，０００立方糎の瓶の中に入れて通常市販の食パン（厚さ２糎、縦６糎、横６糎）一片とともに密封する。一カ月後もパンに黴は生えない。この事実に着目して、前記自然乾燥させた仕用の板材などの檜材片Ｈを予め準備し、床１、天井壁２、側壁３に張る。防菌室Ａ内に同様に自然乾燥させた檜材片Ｈを堆積、吊り下げ、立て掛けなど適宜配設してもよい。
【産業上の利用可能性】
【０００９】  防菌室Ａを新型コロナウイルスの防疫に用いる。新型コロナウイルスに感染した患者や、疑いの有る人を収容、待機する空間とする。これによって新型コロナウイルスの増殖を抑え、治療を促進し、蔓延化を防ぎ、非常事態に対応する。
【符号の説明】
【００１０】  Ａ  防菌室
Ｂ  建屋
Ｈ  檜材片
１  床
２  天井壁
３  側壁
４  窓
５  入り口
【図１】
0003230272.tif 000003
(57)【要約】      （修正有）【課題】浸透印を自由なサイズでつくるために、スタンプ印面部を取り付けるホルダと、印面部を覆い、着脱が簡便なカバーを備えたスタンプホルダを提供する。【解決手段】凹形状の内部に格子状の突起部２ｂを持つホルダ２と、受け具２に被せるカバー３で構成され、カバー３は、カバー３ａの突起とホルダの固定溝２ａとで固定され、着脱できる構造とする。ホルダ２には、内部に格子状溝２ｂがあり、この突起部に接着剤を着けスタンプ材を接着する。このとき余分に着いた接着剤は格子状溝２ｂに流れるので、スタンプ材はホルダ２の底面に平滑に接着される。ホルダ２とカバー３は、数十センチ程度の長尺材とするので、既存のゴム印用木製台木１に貼り付けて、要求に応じて任意の長さに切断して使用する。ホルダ２の幅と、カバー３の幅は、数ミリ毎に複数種類の幅を用意することで、任意のサイズに対応できる。【選択図】図２
0003230205.tif 000002
【実用新案登録請求の範囲】
【請求項１】
インクを浸透させた多孔質スタンプ材と、前記多孔質スタンプ材を収納する凹部を有する樹脂製ホルダと、前記樹脂製ホルダに取り付けられた前記多孔質スタンプ材を覆う着脱式カバーとを備えたことを特徴とするスタンプホルダ。  
【請求項２】
前記樹脂製ホルダの前記多孔質スタンプ材が取り付けられる面とは反対側の面に、持ち手となる台木が設けられていることを特徴とする請求項１に記載のスタンプホルダ。
【請求項３】
前記多孔質スタンプ材、前記樹脂製ホルダ及び前記着脱式カバーは、スタンプサイズに合わせて所定の位置で切断できるよう長尺形状に形成されていることを特徴とする請求項１に記載のスタンプホルダ。
【請求項４】
前記凹部内に設けられた格子状の溝を備えることを特徴とする請求項１に記載のスタンプホルダ。
【考案の詳細な説明】
【技術分野】
【０００１】
本考案は、インク浸透式スタンプを取り付けるためのホルダに関するものである。
【背景技術】
【０００２】
多孔質のインク浸透式スタンプは、印面部に触れるとインクが付着するので、汚れ防止のために捺印時以外は蓋などをして覆っておく必要がある。そのため、スタンプ印面取り付け部に合わせたカバーが必要であり、しかも使用時には簡単に着脱できることが求められる。このため、現在では樹脂などで成形された専用のホルダがつくられているが、その種類は限られている。このため、つくりたいサイズのスタンプホルダがないときには、つくりたいサイズより大きなサイズのホルダを選択するしかなく、捺印するサイズに比べてスタンプホルダが大き過ぎて位置が合わせづらく保管スペースも多くとった。更に、小さなサイズのスタンプをつくるためのホルダがなかったりして利便性に欠けていた。また、価格については、浸透印のメーカーが少なく競争原理が働かず高止まりしていた。
【考案の開示】
【考案が解決しようとする課題】
【０００３】
浸透印を自由なサイズでつくるために、スタンプ印面部を取り付けるホルダと、印面部を覆い、着脱が簡便なカバーを、要求されるサイズで安価に提供することを目的とする。
【課題を解決するための手段】
【０００４】
本考案のスタンプホルダは、インクを浸透させた多孔質スタンプ材と、多孔質スタンプ材を収納する凹部を有する樹脂製ホルダと、樹脂製ホルダに取り付けられた多孔質スタンプ材を覆う着脱式カバーとを備えたことを特徴とする。
【考案の効果】
【０００５】
本考案に使用するホルダは、ゴム印作成に使われている長尺の角棒形状の台木に両面テープなどで接着して使用するため安価に提供でき、スタンプ作成に際しても既存のゴム印製造設備でつくることができる。ホルダとカバーは、数十センチ程度の長尺材で提供するので、それを任意のサイズで切断して浸透印の印面部を貼り付けて仕上げる。このため、納期の短縮とコストの低減が図れる。
【図面の簡単な説明】
【０００６】
【図１】本考案のホルダに浸透印印面を取り付けた斜視図。
【図２】本考案の構造を示す断面図。
【図３】本考案のホルダスタンプ材を接着した状態を示す断面図。
【図４】本考案のホルダの側面図と下面図。
【図５】本考案のホルダ全体を示す斜視図。
【考案を実施するための形態】
【０００７】
凹形状の内部に格子状の突起部２bを持つホルダ２と、受け具２に被せるカバー３で構成され、カバー３は、カバー３ａの突起とホルダの固定溝２ａとで固定され、着脱できる構造とする。
ホルダ２には、内部に格子状溝２ｂがあり、この突起部に接着剤を着けスタンプ材４を接着する。このとき余分に着いた接着剤は格子状溝２ｂに流れるので、スタンプ材４はホルダ２の底面に平滑に接着される。ホルダ２とカバー３は、数十センチ程度の長尺材とするので、既存のゴム印用木製台木１に貼り付けて、要求に応じて任意の長さに切断して使用する。
ホルダ２の幅８と、カバー３の幅９は、数ミリ毎に複数種類の幅を用意することで、任意のサイズに対応できる。
【実施例】
【０００８】
以下、添付図面に従って実施例を説明する。
図１は、木製台木１に、接着されたホルダ２と、ホルダ２に接着されたスタンプ材４と、そこに被せるカバー３とを表す。
図２は、断面図で、木製台木１と、ホルダ２と、カバー３を表す。カバーには、ホルダに被せた時に固定するための突起３ａと、ホルダの固定溝２ａが付けられている。また、ホルダ２の内側には、接着剤を逃がす格子溝２ｂが付けられている。
図３は、ホルダ２に接着されたスタンプ材４と、余分な接着剤５が流れ込む格子溝２ｂを表す。
図４は、側面図で、長尺のホルダ２に付けられた、カバーを固定させるための固定溝２ａと、余分な接着剤を逃がすための、ホルダ２の内部の格子状の溝２ｂを表す。
図５は、任意の寸法に切断する前の長尺状態の木製台木１と、ホルダ材２とその幅８、カバー３とその幅９を表した斜視図。
【符号の説明】
【０００９】
１    木製台木
２    樹脂製ホルダ
２ａ  固定溝
２ｂ  格子溝
３    カバー
３ａ  突起部
４    スタンプ材
５    接着剤
６    ホルダ材の幅
７    カバー材の幅
【図１】
0003230205.tif 000003
【図２】
0003230205.tif 000004
【図３】
0003230205.tif 000005
【図４】
0003230205.tif 000006
【図５】
0003230205.tif 000007
(57)【要約】      （修正有）【課題】屋内外広告製作用プリンタで使用する基材の残量を可視化することで、残量把握の人による計測精度のばらつきをなくし、材料ロスの削減と、基材交換に係る物理的作業を減らす印刷基材等残量スケールを提供する。【解決手段】素材が塩ビ等の屋内外広告並びに店舗装飾等の製作に用いられる印刷基材の残量を、専用印刷機器等にセットした状態のまま測る計測板であって、印刷基材取付軸に挿軸のための一部欠損させたスケール開口部７を持つドーナツ板形状で、表面に印刷基材取付軸を芯とする複数の円弧のスケール印字５と紙管外径ライン６をそれぞれ付したことを特徴とし、印刷基材残量をスケールにより可視化する。【選択図】図１
0003230268.tif 000002
【実用新案登録請求の範囲】
【請求項１】
屋内外広告並びに店舗等装飾の製作に用いられる印刷機器の印刷基材の残量を印刷機器等にセットした状態のまま測る計測板であって、印刷基材取付軸２に挿軸のための一部欠損させたスケール開口部７を持つドーナツ板形状で、表面に前記印刷基材取付軸２を芯とする複数の円弧のスケール印字５と紙管外径ライン６をそれぞれ付したことを特徴とする印刷基材等残量スケール
【考案の詳細な説明】
【技術分野】
【０００１】  本考案は、屋内外広告等を製作する際に使用する塩ビあるいはＰＥＴ等素材の基材の残量を把握するスケールに関するものである。
【背景技術】
【０００２】  屋内外広告を製作する際、使用する印刷基材の残量を確認するには、使用記録や職人の経験に頼っていた。
【考案の概要】
【考案が解決しようとする課題】
【０００３】  屋内外広告等製作に用いられる印刷基材は、一般的に３０〜５０ｍの塩ビ等素材を紙管に巻いた円柱状のもので、プリンタにセットし使用する。基材は一度の印刷で使い切るものではないため、次回使用時まで保管する。一度使用した基材の残量は、職人がその見た目からおおよその量を推察するという各々職人の経験に頼る部分が多く、その精度は人によりばらつきが生じるものだった。当然、経験や勘に頼る残量把握はロスも生じやすく、生産性の面においても非効率である。また、基材が３０ｋｇと重量物でありプリンタにセットする物理的な作業も労働的負担である。従って、屋内外広告製作用プリンタで使用する基材の残量が確認できるスケールにより残量把握の人によるばらつきを排除することを可能としまた、基材をプリンタにセットしたままスケールを使用することで基材交換の手間を極力排除し前述の課題を解決しようとするものである。
【課題を解決するための手段】
【０００４】  本考案は、印刷基材の残量を専用印刷機器等にセットしたまま測る計測板で印刷基材取付軸２に挿管のための一部欠損させたスケール開口部７を持つドーナツ板形状をなし、素材は１〜３ｍｍのアクリルやＰＥＴ等の透明材を使用する。印刷基材取付軸２に本考案の計測板をセットするため、印刷基材軸差し込み穴３の直径をそれぞれ使用する基材取付軸の直径とし、前記印刷基材取付軸２と同軸上にスケール印字５と紙管外径ライン６をそれぞれＵＶ印刷により付し、印刷基材をプリンタにセットしたまま直接残量の計測を可能としたものである。
【考案の効果】
【０００５】  上述の様に、基材の残量を測るスケールはスケールとしての機能は勿論、スケールに印刷基材軸差し込み穴３を設けることにより専用印刷機等に印刷基材をセットした状態でも簡単に計測することが可能となり、また人による計測精度のばらつき、材料のロスの削減など、さらに印刷基材交換に係る物理的作業を減らす効果がある。
【図面の簡単な説明】
【０００６】
【図１】本考案の印刷基材等残量スケールの正面図である。
【図２】本考案の印刷基材等残量スケールの一実施例を示す全体図である。
【考案を実施するための形態】
【０００７】  保管されている一度使用した印刷基材は、円柱状の端断面にスケールをあて残量を計測する。スケール中心部の紙管外径ライン６と紙管を合わせ、残っている基材の厚みで残量を計測する。また、スケール開口部７から印刷基材取付軸２に差し込むことにより、専用印刷機にセット済みの印刷基材の残量も計測できるものである。
【実施例】
【０００８】  以下、添付図面に従って一実施例を説明する。透明なアクリルやＰＥＴ板等適宜素材にて形成された屋内外広告製作用プリンタの基材残量確認スケール本体（以後、スケール本体と称する）１に、表裏から基材の残量確認のためのスケール印字５及び計測時の基準となる紙管外径ライン６、また使用基材情報８がＵＶ印刷されている。【０００９】  印刷基材は各メーカーにより厚みが異なり、それぞれ紙管に巻かれた円柱状をなし、使用の際は専用印刷機の印刷基材取付軸２に紙管ごと差し入れられた状態でセットされるもので、残量計測の際は、使用中の基材に合わせたスケールを使用機材情報８と照合して選定する。【００１０】  専用印刷機にセットされた円柱状の印刷基材端断面位置に、選定したスケール本体１を添え専用印刷機の印刷基材取付軸２に挿軸、スケール開口部７より印刷基材軸差し込み穴３の最深部に接するまで挿入する。【００１１】  印刷基材取付軸２の外径と印刷基材軸差し込み穴３が同サイズであり、最深部まで挿入するとスケール本体１がずれないことから、紙管外径ライン６に印刷基材の紙管を合わせ基準とし、基材の総厚とスケール印字５を比較、合致する目盛から残量を計測する。
【符号の説明】
【００１２】１  残量計測スケール本体
２  印刷基材取付軸
３  印刷基材軸差し込み穴
４  印刷基材
５  スケール印字
６  紙管外径ライン
７  スケール開口部
８  印刷基材情報＿
【図１】
0003230268.tif 000003
【図２】
0003230268.tif 000004